(57)【要約】【課題】電気泳動粒子を用いた従来の画像表示装置は、反射率、コントラスト、画像切り替え速度が必ずしも充分ではなかった。【解決手段】第１の電極群１０４を構成する各電極の幅が、表示基板面内の一方向において、第２の電極群１０３を構成する各電極の幅より狭く、かつ、第２の電極群１０３に印加する電圧を電極毎に独立して変調して、電気泳動粒子を移動させることによって画像を表示する。【効果】製造が容易で、表示性能の高い画像表示装置を実現できる。【選択図】  図１
2005031405.tif 000002
【特許請求の範囲】
【請求項１】
第１の電極群が形成された第１の基板と、第１の基板に対向配置され第２の電極群が形成された第２の基板との間に、電気泳動粒子と泳動媒体とを封入してなる画像表示装置において、第１の電極群を構成する各電極の幅が、少なくとも基板面の一方向において、第２の電極群を構成する各電極の幅より狭く、かつ、第２の電極群に印加する電圧を電極毎に独立して変調させることを特徴とする画像表示装置。
【請求項２】
請求項１に記載の画像表示装置において、上記第１の電極群が透光性導電材料により構成されていることを特徴とする画像表示装置。
【請求項３】
請求項１又は２に記載の画像表示装置において、上記第２の電極群が高反射率導電性材料により構成されていることを特徴とする画像表示装置。
【請求項４】
請求項３に記載の画像表示装置において、上記第２の電極群が凹凸形状を有することを特徴とする画像表示装置。
【請求項５】
請求項１ないし４に記載の画像表示装置において、上記第１の電極群を構成する各電極は隔壁によって分割されていることを特徴とする画像表示装置。
【請求項６】
請求項１ないし５に記載の画像表示装置において、上記第２の電極群を構成する各電極は隔壁によって分割されていることを特徴とする画像表示装置。
【請求項７】
請求項５又は６に記載の画像表示装置において、上記隔壁の側面が導電性を有し第２の電極群を構成する各電極と接続されていることを特徴とする画像表示装置。
【請求項８】
請求項１ないし７に記載の画像表示装置において、上記第１の基板に、第１の電極群を基準にして第２の電極群とは反対側に、少なくとも基板面の一方向において、第１の電極群を構成する各電極より幅が広く、第１の電極群と同電位にされた第３の電極又は電極群を設けることを特徴とする画像表示装置。
【請求項９】
請求項８に記載の画像表示装置において、上記第１の電極群が第３の電極と画素毎に接続されていることを特徴とする画像表示装置。
【請求項１０】
請求項１ないし９に記載の画像表示装置において、上記第１の基板に、第１の電極群を取り囲む凹部を有する誘電体としての絶縁層を設けることを特徴とする画像表示装置。
【発明の詳細な説明】
【０００１】
【発明の属する技術分野】
本発明は電気泳動を利用した画像表示装置に関する。
【０００２】
【従来の技術】
【特許文献１】特開２００２−１４８６６４号公報
【０００３】
上記特許文献１には、図１９に示すように，透光性液体２０７中に着色荷電粒子２０６を分散させた画素が２次元的に配列され、画素毎に電界によって制御される着色荷電粒子の移動により反射率を変化させて画像を表示せしめる画像表示装置が記載されている。
【０００４】
図１９に示すような従来の画像表示装置では、スペーサ２０３を介して、透光性液体２０７中に着色荷電粒子２０６を分散させ、第１の基板２０１に設けた電極２０４と第２の基板２０２に設けた２つの電極２０５間に印加する電圧を変調することによって、着色荷電粒子２０６が移動し、画素毎に着色荷電粒子２０６の粒子色と第２の基板２０２の背景色とが切り替えられ、画像表示を行っている。
【０００５】
【発明が解決しようとする課題】
上記従来の表示装置は、着色荷電粒子２０６を画素内で分散させるための粒子色表示状態の特性を改善するために、第１の基板２０１に設けた電極２０４と第２の基板２０２に設けた２つの電極２０５とで各電極のエッジ部分での電界を利用し、第２の基板２０２を介して電圧を印加するので、動作電圧が高くなってしまう。
【０００６】
また、第２の基板２０２に着色荷電粒子２０６が分散するための傾斜壁面２０８が必要で、第２の基板２０２が複雑な形状となり、その加工、製造が複雑となっている。
【０００７】
さらに、第２の基板２０２に設けられた制御のための２つの電極２０５が画素間をまたがっており、この２つの電極２０５によって、各画素を薄膜トランジスタ等によりアクティブマトリックス駆動することが必ずしも容易でない等々の課題を有していた。
【０００８】
本発明は、これらの課題を解決し、製造が容易で、粒子色表示状態の特性が高い表示性能を有する画像表示装置を提供することにある。
【０００９】
【課題を解決するための手段】
上記課題を解決した本発明の画像表示装置は、透光性表面基板に形成された第１の電極群と、該第１の電極群に対面配置された第２の電極群が形成された背面基板との間に電気泳動粒子としての着色荷電粒子と泳動媒体としての透光性液体を封入してなる表示装置において、第１の電極群を構成する各電極の幅が、少なくとも基板面の一方向において、第２の電極群を構成する各電極の幅より狭く、かつ、第２の電極群に印加する電圧を電極毎に独立して変調することによって電気泳動粒子を移動させることで画像を表示することが実現できる。
【００１０】
【発明の実施の形態】
本発明の画像表示装置の構造概略図を図１に示す。（ａ）は平面図であり、（ｂ）は基板を切断線ＡＡ’からみた断面図である。透光性表面基板１０１の内面上に電極１０４をストライプ状に設けてある。また、背面基板１０２の内面上に、ストライプ状電極１０４に対向して画素を形成する画素電極１０３と粒子移動手段１０５とを２次元的に配置する。このストライプ状電極１０４は、基板の切断線ＡＡ’の断面において、基板１０２に設けた電極１０３の幅より狭くしてある。
【００１１】
そして、図２に示すように、透光性表面基板１０１と背面基板１０２の間に泳動媒体としての透光性液体１０７と電気泳動粒子としての着色荷電粒子１０６を満たし、粒子移動手段１０５の作用によって、透光性液体１０７中の電気泳動粒子であるところの着色荷電粒子１０６を画素毎に移動させて反射率を変調し画像を表示する。ここで、ストライプ状電極１０４は一定の電圧とし、画素電極１０３には、粒子移動手段１０５の作用によって、ストライプ状電極１０４の電圧と対比して正の電圧また負の電圧に切り替えると、着色荷電粒子１０６はストライプ状電極１０４又は画素電極１０３に移動する。
【００１２】
図２（ａ）に示すように、着色荷電粒子１０６がストライプ状電極１０４に移動すると、画素の表示色は画素電極１０３又は背面基板１０２の色を呈する。ここで、画素電極１０３又は背面基板１０２が可視光全域において高い反射率を有している場合には白が表示される。そして、図２（ｂ）に示すように、着色荷電粒子１０６が背面電極１０３上に移動すると、その粒子色に切り替えることができる。例えば、着色荷電粒子１０６が可視光全域で高い吸収率を有する場合、光は吸収され、黒が表示される。
【００１３】
このように、本発明においては、画素毎に反射率を変調して画像を表示することが可能となり、また、画素の構造が単純なため製造が容易であり、微細加工による高精細化が容易である。
【００１４】
本発明において、透光性液体は、水、アルコール、油類、石油類等の無色の液体であり、着色荷電粒子は所望色の顔料に帯電を付与したものを用いる。例えば、黒色の着色荷電粒子を用いると白黒表示可能な画像表示装置が得られる。また、着色荷電粒子の吸収色に応じた色を呈する画像表示装置も得ることができる。
【００１５】
また、本発明の画像表示装置では、画素電極１０３に可視光を反射する導電性材料を用いると、この部分が反射板を兼ねることになり、視差の少ない高精細対応の表示装置が得られる。ここで用いる可視光を反射する導電性材料は、Ａｌ、Ａｇ、Ｃｒ、Ｍｏ、Ａｕ、Ｎｉ、Ｃｕ等の金属材料を単体または複合して用いることができる。また、この反射面に適当な凹凸を生ぜしめることで反射光に拡散性を与えることが出来る。この拡散反射面は、その凹凸形状により反射光の拡散範囲を所望の範囲に設定することが可能で、拡散範囲を狭めることによって適当な範囲において高輝度の画像が得られる。
【００１６】
さらに、画面輝度を高め白表示時に純白に近い反射色を得るためには反射面上に紫外光を吸収して可視光を発光する蛍光増白剤を反射板上に塗布すればよい。蛍光増白剤は、ジアミノスチルベン、イミダゾール、イミダゾロン、トリアゾール、チアゾール、オキサゾール、オキサジアゾール、クマリン、カルボスリル、チアゾール、ナフタルイミド等を単体および複合材料として用いることができる。
【００１７】
ストライプ状電極１０４は、導電性の金属Ａｌ、Ａｇ、Ｃｒ、Ｍｏ、Ａｕ、Ｎｉ、Ｃｕ等のいずれも使用可能である。この場合、ストライプ状電極１０４を着色荷電粒子の色と同じにすると、この粒子が画素電極１０３上を覆ったときの粒子色表示状態における表示特性を改善してコントラストを高めることができ好適である。例えば、粒子が黒色の場合には、透光性表面基板１０１上に予めほぼ同じ平面形状の黒色薄膜を形成した後にストライプ状電極１０４を形成すればよい。
【００１８】
さらに、ストライプ状電極１０４を、ＩＴＯ、ＩＺＯ、ＳｎＯ２等の透光性導電材料を用いると、着色荷電粒子と同色の薄膜を形成することなく、同様の効果によりコントラストが向上できて好適である。
【００１９】
粒子移動手段１０５としては、シリコン基板上に形成したトランジスタ又はガラス、プラスチック等の基板上に形成した薄膜トランジスタをマトリックス状に組み合わせて用いればよい。例えば、図１７に示すように、アモルファスシリコン、多結晶シリコン等の材料で形成された薄膜トランジスタ１１７をマトリックス状に組み合わせて、ドレイン線１１９、ゲート線１２０をドライブ回路１２１，１２２で駆動し、画素セル１１８の粒子移動を制御して画像を表示すればよい。
【００２０】
図２において、透光性表面基板１０１と背面基板１０２の間隔維持は、ビーズの分散、画素間の支柱の形成等により行えばよい。図２に示した構造では、透光性液体１０７中に分散した着色荷電粒子１０６が画素間を流動し、クロストークや画面内で画像むらを生じる場合がある。これを抑止するためには図３に示すように画素間に隔壁１０８を設けるとよい。
【００２１】
図３における隔壁１０８の上面構造は、図９に示すように、画素毎に格子状隔壁１０８を設け、画素電極１０３を分割してもよいし、図１０に示すように、ストライプ状隔壁１０８を設け、ストライプ状電極１０４を分割しても有効である。また、図９、１０では画素ピッチと同一ピッチで隔壁を形成したが、画素ピッチの整数倍で形成しても効果はある。また、隔壁の色を粒子と同一にすると粒子色表示状態の表示性能が高まり、コントラストも向上する。
【００２２】
さらに、図４に示すように、隔壁１０８の側面に導電性もたせ、画素電極１０３と共通化するとコントラストおよび画像切り替え速度が向上する。粒子移動手段１０５の作用により、画素電極１０３の電圧を切り替え、着色荷電粒子を図４（ａ）に示すようにストライプ状電極１０４に集中させて背面基板１０２の色を呈している背景色表示状態から、図４（ｂ）のように画素電極１０３上を覆って粒子色表示状態への切り替えがスムースに行われる。
【００２３】
この現象についての電界計算結果を図１６により説明すると、図１６（ａ）は図２に示した構造、図１６（ｂ）は隔壁１０８が設けられているが，その側面に導電性がない図３の構造について、それぞれストライプ状電極１０４と画素電極１０３との間に電位差を生じさせた場合の画素内電界状況を示しており、曲線は等電位線を示す。いずれの場合にも画素電極１０３の中心から端部にかけて等電位線は背面側である内側に向いており、ストライプ状電極１０４に集中した着色荷電粒子が画素電極１０３に向けて移動する際、必ずしも充分な電界拡散効果が得られないことを示している。
【００２４】
一方、図４に示す隔壁１０８の側面に導電性を付加した構造の場合の電界状況を図１６（ｃ）に示すように、画素電極１０３の中心から端部にかけて等電位線は表面側である外側に向いており、大きな拡散電界を得て荷電粒子は画素電極１０３上を充分に覆うこととなる。またその移動時間も改善される。したがって、粒子色表示状態が改善してコントラストが改善するとともに画像切り替え速度の改善が図れる。
【００２５】
また、図４（ａ）に示したような背景色表示状態では、ストライプ状電極１０４上に効率よく着色荷電粒子１０６を集めることが重要で、ストライプ状電極１０４から着色荷電粒子１０６がはみ出すと背景が隠されるためコントラストが低下する。
【００２６】
これに起因するコントラストの低下は、図５に示すように、透光性表面基板１０１とストライプ状電極１０４との間に、この基板１０１側に面内一様な透光性導電層１０９と電極１０４側に誘電体としての絶縁層１１０とを設けて、両者を同電位に維持することで改善され、着色荷電粒子１０６がストライプ状電極１０４上に効率よく集まり、この電極１０４からのはみ出し量が減り、コントラストが向上する。
【００２７】
図５に示す構造は電界計算によると、図１６（ｄ）に示すように、等電位線がストライプ状電極１０４の近傍で表面側である内向きに大きく湾曲しており、図４の構造に対応する図１６（ｃ）と比べて、荷電粒子が集まる電界構造となっている。この電界湾曲によって荷電粒子を集める効果は、絶縁層１１０の厚さは数百ナノメートル以上で生じ、１μｍ以上となると充分に大きな効果を有する。
【００２８】
このように、面内一様な透明電極１０９とストライプ状電極１０４との間隔がさらに大きくても効果を有することから、図６に示すように、絶縁層１１０を省略して、絶縁層１１０の機能を透光性表面基板１０１にもたせ、透光性表面基板１０１の表面に面内一様な透明電極１０９を設けても同様の効果が得られる。
【００２９】
なお、図１６（ａ）ないし（ｄ）おいては、電極１０３，１０４を平板状に形成したが、例えば、電極１０３と粒子移動手段１０５とを接続するコンタクトホール１１１を電極１４０に対向して配置した電界計算の結果を図１６（ｅ）ないし（ｉ）に示し、電極１０３を凸状とした電界計算の結果を図１６（ｋ）に示す。
【００３０】
図１６（ｅ）は図１６（ｄ）と同様に、図１６（ｋ）で示すような電極１０４上での等電位線間隔が狭くなるような電界の不要な湾曲がなく、反射率の低下もない。また、図１６（ｆ）は図１６（ｅ）におけるコンタクトホール径を大きくしたもので、図１６（ｄ）（ｅ）と同様な等電位線となる。
【００３１】
このように、電極１０４上で広く、周辺で急激に上方に折れ曲がる等電位線が望ましく、電極１０４上に多くの荷電粒子を凝縮させることができ、反射率が向上する。
【００３２】
図１６（ｇ）（ｈ）は、図１６（ｅ）（ｆ）に対応し、電極１０３と電極１０４とのセルギャップを狭くしたことで、望ましい等電位線となる。図１６（ｈ）の場合は、コンタクトホール１１１内のも電界を生じ、ここに荷電粒子が溜まることがない。このような望ましい等電位線は、透明電極１０９と絶縁層１１０を省略した図１６（ｉ）（ｊ）でも同様であって、特に電極１０４上での等電位線間隔がより広がっている。また、セルギャップとコンタクトホールの径とは同程度とすることが望ましい。
【００３３】
図７に示すように、凹部を有する誘電体としての絶縁層１１０で取り囲まれ、その凹部に設けられたストライプ状電極１０４と、透明電極１０９とを同電位にするため、両者を各画素において接触させても望ましい電界構造が得られる。この場合、画素の平面構造を図１１、１２に示すように、ストライプ状電極１０４をストライプ状とすることなく、各画素の略中心に離散的に設けることが可能となる。
【００３４】
したがって、背景色表示状態において粒子色で覆われている部分がさらに小さくなり、コントラストが大幅に向上する。ここで、隔壁１０８で分割される離散電極１０４は図１１、１２のような四角形状に限るものでなく、丸等の形状であっても構わない。面内において、各画素の略中心に形成されていることが重要である。
【００３５】
また、図８に示すように、ストライプ状電極１０４に溝又は離散電極１０４に穴を設けると、着色荷電粒子を溝内又は穴に集めることができコントラストがさらに向上する。
【００３６】
ここまで述べてきたような画像表示装置において、中間調を表示するには面積階調による表示が好ましい。
【００３７】
図１３（ａ）に示すように、画素電極１０３Ａ〜Ｄをストライプ状電極１０４に対して垂直に分割した構造とすることで実現できる。この場合には、分割した画素電極１０３Ａ〜Ｄ上で着色荷電粒子を独立に移動させることで面積諧調表示を行う。
【００３８】
画素電極１０３Ａ〜Ｄは等しい幅で分割してもよいが、図１３（ｂ）に示すように、異なる幅で分割してもよい。この場合、各反射面上に着色荷電粒子が移動した場合の減光量が異なるため、より多くの階調表示が実現できる。例えば、反射面を４分割する場合、図１３（ａ）に示したように等幅分割の場合には、各反射面の減光量は全て１／４のため、画素全体の減光量は０、１／４、１／２、３／４、１であるから５段階の階調表示である。
【００３９】
一方、図１３（ｂ）では、４反射面の分割幅を１：２：４（２の２乗）：８（２の３乗）とすると、４反射面の減光量は１／１５、２／１５、４／１５、８／１５となり、０、１／１５・・・１４／１５、１であるから１６段階の階調表示が可能となり好適である。このように、反射面を不等間隔幅でＮ個に分割すると２のＮ乗の階調表示が可能となる。
【００４０】
図１４に示すように、本発明の画像表示装置をカラー化するためには、１画素内に赤色、緑色、青色の３色を表示する表色部分１１５Ａ〜Ｃを設ければよい。この場合には、着色荷電粒子を黒色とし、背面基板又は画素電極からなる反射面は可視光全域で略均一な反射率をもたせ、各表色部分に応じて赤色、緑色、青色を透過するカラーフィルターを配置すればよい。また、カラーフィルターを用いない場合、反射面が各表色部分に応じて赤色、緑色、青色を反射させてもよい。
【００４１】
さらに、カラーフィルターも用いず反射面は可視光全域で略均一な反射率をもたせる場合、着色荷電粒子を黒色とし、透光性液体が各表色部分に応じて赤色、緑色、青色のみ透光させても実現できる。
【００４２】
また、図１５に示すような３層の積層構造によっても実現できる。この場合、３層の電極１０３Ａ〜Ｃのうち最下層の電極１０３Ａのみが反射面を有し、上の２層の電極１０３Ｂ，Ｃ及び表面基板１０１は透光性のものを用いる。ここで着色荷電粒子１０６Ａ、１０６Ｂ、１０６Ｃは、それぞれ赤色、緑色、青色のみを吸収するものを用いれば３層の粒子の移動によりフルカラーの表示が可能となる。
【００４３】
〔実施例１〕
本発明に係る画像表示装置の実施形態の好適な一実施例について、図５及び図１０を用いて説明する。
【００４４】
この画像表示装置は、図１０に示すように、画素電極１０３が画素毎に５０μｍ間隔で２次元的に配列され、画素間はストライプ状の隔壁１０８で仕切られており、各画素のほぼ中央を通過するストライプ状電極１０４が形成されている。
【００４５】
その断面を図５に示す。透光性表面基板１０１上にはＩＴＯ透光性導電膜からなる透明電極１０９、高さ２μｍの有機高分子からなる絶縁層１１０、ストライプ状電極１０４を形成しておく。
【００４６】
一方、２次元配列で粒子移動手段１０５を形成した背面基板１０２上には高さ５μｍのストライプ状の隔壁１０８を形成し、その上よりＡｌ等の高反射率の金属材料で被覆して画素電極１０３を形成する。隔壁１０８間に着色荷電粒子１０６を分散させた透光性液体１０７で満たした後、表面基板１０１と一体化して封止して画像表示装置を得る。
【００４７】
この画像表示装置は、ストライプ状電極１０４及び透明電極１０９を０Ｖに維持し、粒子移動手段１０５の作用によって画素電極１０３を±１０Ｖで変調することで、図５に示すように、透光性液体１０７に分散させた着色荷電粒子１０６が移動し、画素毎に白黒の表示が行える。
【００４８】
ここで、粒子移動手段１０５は、例えば、アモルファスシリコン、多結晶シリコン等の材料で形成され、図１７に示すように薄膜トランジスタ１１７を用い、マトリックス状に組み合わせて画素セル１１８の荷電粒子の移動を制御して画像を表示する。この薄膜トランジスタ１１７はドレイン線１１９、ゲート線１２０を介してドライバ回路１２１、１２２により制御を行う。
【００４９】
この画像表示装置で用いる着色荷電粒子は、例えば、各種の着色顔料等に諸所の手法にて電荷を付与したものがいずれも使用可能である。例えば、白黒表示のためには、透光性液体にカーボンブラックを分散させた黒色液体を用いればよい。
透光性液体は、水、アルコール、石油類等に透明な液体がいずれも使用可能である。
【００５０】
この実施例のように画素毎が隔壁によって仕切られている場合には、粒子の画素間の異動による擾乱が阻止され好適である。
【００５１】
また、画素電極１０３は、アルミニウム、銀、金等の可視光において高い反射率を有する金属材料を用いると反射面を兼ねるため、さらに好適である。この場合、電極の表面に微細な凹凸を生ぜしめ反射光に拡散性を与えた拡散反射面とすると、その凹凸形状により反射光の拡散範囲を所望の範囲に設定することが可能で、拡散範囲を狭めることによって適当な範囲において高輝度の画像が得られ好適である。
【００５２】
〔実施例２〕
本発明に係る画像表示装置の実施形態の好適な一実施例について、図８及びを図１１用いて説明する。
【００５３】
この実施例の画像表示装置は、図１１に示すように、画素電極１０３と離散電極１０４からなる画素が２次元的に配列されている。実施例１の場合と異なり離散電極１０４が画素毎に形成されており、また、各画素が隔壁１０８で仕切られている。この画像表示装置は、図８に示すように、透光性表面基板１０１上に透明電極１０９、絶縁層１１０を形成した後、絶縁層１１０に透明電極１０９まで貫通する穴を形成した後、この穴内に離散電極１０４を２次元的に形成する。
【００５４】
この離散電極１０４及び穴形状は図１１，１２に示すように、四角形状に限るものでなく、丸等の形状であってもよい。各離散電極１０４が各画素の略中心に形成されていることが重要である。実施例１と同様に、背面基板１０２には、２次元配列で粒子移動手段１０５、隔壁１０８及び画素電極１０３が形成され、この背面基板１０２に、着色荷電粒子１０６が分散された透光性液体１０７を満たした後、表面基板１０１と一体化し封止して画像表示装置を得る。
【００５５】
この画像表示装置は、実施例１の場合と比較して隔壁１０８によって各画素が縦横に区切られているから画素間での着色荷電粒子１０６の擾乱か少ない。離散電極１０４の面積が小さいため粒子が小さい空間に集まって白表示状態の開口率が高まり、高反射率で高コントラストの画像表示装置が得られる。
【００５６】
図１８は本発明に係る画像表示装置を文庫リーダーに適用したものであって、本体１３０の表示枠１３１内に表示部１３２が備えられ、この表示部１３２に本発明に係る画像表示装置を採用する。図１８（ａ）はこの文庫リーダーを開いた場合を示し、その寸法は、例えば、幅が２０４ｍｍ程度で、長さが１５１ｍｍ程度である。図１８（ｂ）は図１８（ａ）の底面図で、その厚さは、例えば、３ｍｍ程度である。図１８（ｃ）はこの文庫リーダーを閉じた場合を示し、その寸法は、例えば、幅が１０５ｍｍ程度で、長さが１５１ｍｍ程度である。図１８（ｄ）は図１８（ｃ）の底面図で、その厚さは、例えば、６ｍｍ程度である。なお、本体１３０は開閉軸１３３によって開閉され、指で左右に操作して頁の送り戻しを行う頁操作ボタン１３４と機能操作のためのファンクションボタン１３５及び電源をオンオフするパワーボタン１３６を備えている。
【００５７】
【発明の効果】
以上、説明したように本発明により、製造が容易で、高輝度、高反射率でコントラストが高く、高速に駆動が可能な画像表示装置を実現するという所期の目的を達成することができた。
【図面の簡単な説明】
【図１】本発明の画像表示装置の上面構造概略図
【図２】本発明の画像表示装置の表示原理の説明図
【図３】本発明の画像表示装置の断面構造概略図
【図４】本発明の画像表示装置の断面構造概略図
【図５】本発明の画像表示装置の断面構造概略図
【図６】本発明の画像表示装置の断面構造概略図
【図７】本発明の画像表示装置の断面構造概略図
【図８】本発明の画像表示装置の断面構造概略図
【図９】本発明の画像表示装置の上面構造概略図
【図１０】本発明の画像表示装置の上面構造概略図
【図１１】本発明の画像表示装置の上面構造概略図
【図１２】本発明の画像表示装置の上面構造概略図
【図１３】本発明の画像表示装置の画素構造概略図
【図１４】本発明の画像表示装置の画素構造概略図
【図１５】本発明の画像表示装置の画素構造概略図
【図１６】本発明の画像表示装置の画素内電界状況図
【図１７】本発明の画像表示装置の駆動回路の説明図
【図１８】本発明の画像表示装置を適用した文庫リーダーの概略図
【図１９】従来技術の画像表示装置の構造概略図
【符号の説明】
１０１…表面基板、１０２…背面基板、１０３…画素電極、１０４…ストライプ状電極又は離散電極、１０５…粒子移動手段、１０６…電気泳動粒子又は着色荷電粒子、１０７…透光性液体、１０８…隔壁、１０９…透明電極、１１０…絶縁層、１１７…薄膜トランジスタ、１１８…画素セル、１１９…ドレイン線、１２０…ゲート線、１２１、１２２…ドライバ回路、１３０…文庫リーダー本体、１３１…表示枠、１３２…表示部、１３３…開閉軸、１３４…頁操作ボタン、１３５…ファンクションボタン、１３６…パワーボタン
２０１、２０２…基板、２０３…スペーサ、２０４、２０５…電極、２０６…着色荷電粒子、２０７…透光性液体、２０８…傾斜面
【図１】
2005031405.tif 000003
【図２】
2005031405.tif 000004
【図３】
2005031405.tif 000005
【図４】
2005031405.tif 000006
【図５】
2005031405.tif 000007
【図６】
2005031405.tif 000008
【図７】
2005031405.tif 000009
【図８】
2005031405.tif 000010
【図９】
2005031405.tif 000011
【図１０】
2005031405.tif 000012
【図１１】
2005031405.tif 000013
【図１２】
2005031405.tif 000014
【図１３】
2005031405.tif 000015
【図１４】
2005031405.tif 000016
【図１５】
2005031405.tif 000017
【図１６】
2005031405.tif 000018
【図１６】
2005031405.tif 000019
【図１６】
2005031405.tif 000020
【図１７】
2005031405.tif 000021
【図１８】
2005031405.tif 000022
【図１９】
2005031405.tif 000023